【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
磁気共鳴（MR）システムのための超高磁場高周波（RF）コイル装置であって、前記RFコイルは：
開口を有しラジアル軸を画定するループを含むリング・コイルであって、該リング・コイルに沿って正弦曲線電流分布をもつ共鳴モードを含むような構造にされているリング・コイルと；
長さを画定する両端をもち、前記リング・コイルの開口を通って延在する、向かい合う端部をもつ体積コイルと；
前記リング・コイルおよび前記体積コイルのまわりに位置するシールドとを有しており、
前記体積コイルは：
それぞれ前記向かい合う端部の一方に位置し、それぞれラジアル軸を画定し複数の結合された伝導性セグメントをもつループ有する端部コイルであって、それらの端部コイルは互いに平行であり、各端部コイルのラジアル軸が共通の軸を画定するよう整列されており、前記向かい合う端部コイルの少なくとも一方は、直交駆動信号の第一の集合を受け取るための複数のポートを有する、端部コイル；および
互いに平行であり、前記向かい合う端部コイルに結合されている複数の連結棒を有し、
前記リング・コイルは、直交駆動信号の第二の集合を受け取るための複数のポートを有し、互いに容量的に結合された複数の伝導性セグメントから形成されており、
当該装置はさらに、前記直交駆動信号の第一の集合および前記直交駆動信号の第二の集合を生成する少なくとも一つのコントローラを有するRFコントローラを有しており、前記RFコントローラはさらに、超高磁場におけるB1+シミングを実行するよう前記直交駆動信号の第一の集合の各信号の振幅および位相の少なくとも一つを制御する、
装置。
【請求項２】
前記端部コイルおよび前記リング・コイルのそれぞれのリアクタンス同じである、請求項１記載の装置。
【請求項３】
前記端部コイルおよびリング・コイルのそれぞれは、同数の伝導性セグメントをもつ、請求項１記載の装置。
【請求項４】
前記リング・コイルの前記複数のポートは、それぞれそのリング・コイルのラジアル軸のまわりで互いから90°離れて空間的に分布している二つまたは四つのポートを有する、請求項１記載の装置。
【請求項５】
前記リング・コイルが、両端の端部コイルから実質的に等距離にある点に位置している、請求項１記載の装置。
【請求項６】
前記直交駆動信号の各信号は、複数の独立なT/Rチャネルの対応する独立な送受信（T/R）チャネルによって生成され、前記複数の独立なT/Rチャネルの前記独立なT/Rチャネルのうち少なくとも三つがB1+シミングを実行するために制御される、請求項１記載の装置。
【請求項７】
前記直交駆動信号の各信号は、複数の独立なT/Rチャネルの対応する独立な送受信（T/R）チャネルによって生成され、前記複数の独立なT/Rチャネルの前記独立なT/Rチャネルのうち四つがB1+シミングを実行するために制御される、請求項１記載の装置。
【請求項８】
複数のポートをもつ超高磁場体積コイルおよび前記体積型コイルのまわりに位置する、複数のポートをもつリング・コイルを有する体積型高周波（RF）コイル・アセンブリーであって、該リング・コイルに沿って正弦曲線電流分布をもつ共鳴モードを含むような構造にされているリング・コイルと；
前記体積型コイルを駆動するようRF直交信号を含む出力を生成する第一の送受信（T/R）高周波（RF）チャネルを選択的に制御するとともに、前記リング・コイルを駆動するようRF直交信号を含む出力を生成する第二のT/R  RFチャネルを選択的に制御するよう構成された少なくとも一つのコントローラとを有する、
磁気共鳴（MR）システムであって、
前記少なくとも一つのコントローラは、超高磁場でのB1+シミングを実行するよう前記選択的に制御される第一および第二のT/R  RFチャネルのRF直交信号の振幅および位相の少なくとも一方を変えることによってB1+シミングを実行する、
システム。
【請求項９】
前記体積コイルおよび前記リング・コイルは、互いと独立に駆動されるよう構成される、請求項８記載のシステム。
【請求項１０】
前記少なくとも一つのコントローラは、第一および第二のT/R  RFチャネルの出力を互いとの関連で制御することによってB1+シミングを実行する、請求項８記載のシステム。
【請求項１１】
前記少なくとも一つのコントローラは、選択的に制御される第一および第二のT/R  RFチャネルのRF直交信号の振幅および位相の少なくとも一方を変えることによってB1+シミングを実行する、請求項８記載のシステム。
【請求項１２】
前記少なくとも一つのコントローラは、B1+シミング設定を決定するために複数送信プレスキャン動作を実行する、請求項８記載のシステム。
【請求項１３】
前記第一および第二のT/R  RFチャネルの各チャネルについてのRF直交信号がそれぞれ、それぞれ漸進的な位相シフトをもつ第一ないし第四の信号を含む、請求項８記載のシステム。
【請求項１４】
磁気共鳴（MR）システムの超高磁場高周波（RF）コイルを動作させる方法であって、当該方法は、前記MRシステムの少なくとも一つのコントローラによって実行され、複数のポートをもつ体積コイルと、前記体積型コイルのまわりに位置しており複数のポートをもつリング・コイルとを有する体積型高周波（RF）コイル・アセンブリーを駆動する工程を含み、前記リング・コイルは、該リング・コイルに沿って正弦曲線電流分布をもつ共鳴モードを含むような構造にされており、前記駆動する工程は：
第一の送受信（T/R）高周波（RF）チャネルを選択的に制御してRF直交信号の第一の集合を含む出力を生成し、生成された第一の集合のRF直交信号を前記体積型コイルの前記複数のポートに提供し；
第二のT/R  RFチャネルを選択的に制御してRF直交信号の第二の集合を含む出力を生成し、生成された第二の集合のRF直交信号を前記リング・コイルの前記複数のポートに提供することにより、
前記少なくとも一つのコントローラは、超高磁場におけるB1+シミングを実行するよう前記選択的に制御される第一および第二のT/R  RFチャネルのRF直交信号の振幅および位相の少なくとも一方を変えることによってB1+シミングを実行する、
方法。
【請求項１５】
前記体積コイルおよび前記リング・コイルは、互いとは独立に駆動されるよう構成される、請求項１４記載の方法。
【請求項１６】
前記少なくとも一つのコントローラは、第一および第二のT/R  RFチャネルの出力を互いとの関連で制御することによってB1+シミングを実行する、請求項１４記載の方法。
【請求項１７】
検査領域に少なくとも7テスラの超高磁場を生成するよう構成された主磁石と；
前記検査領域に磁場勾配を加えるよう構成された傾斜コイルと；
請求項８記載の磁気共鳴システムであって、前記体積型高周波（RF）コイルが前記検査領域のまわりに配置されている、磁気共鳴システムと；
前記検査領域にあるオブジェクトから前記体積型RFコイルによって受信された磁気共鳴信号を前記オブジェクトの少なくとも一部分の画像に再構成するよう構成された再構成プロセッサとを有する、
磁気共鳴撮像システム。
【請求項１８】
再構成された画像を表示するよう構成されたディスプレイ装置をさらに含む、
請求項１７記載の磁気共鳴撮像システム。
【請求項１９】
請求項１４記載の方法に従って超高磁場RFコイルを動作させるよう磁気共鳴システムのコンピュータ・プロセッサを制御するよう構成されたソフトウェアを担持する非一時的なコンピュータ可読媒体。